(57)【要約】  一実施形態では、近位端部および遠位端部を有するハウジングと、シェルと、プランジャと、針ガードと、第１の部材と、作動組立体と、を含む注射器が存在する。シェルは、ハウジングの内部にあってもよく、薬剤チャンバの少なくとも一部を受容するための空洞を有していてもよい。シェルは、ハウジングに対して初期位置から注入位置に移動可能であってもよい。プランジャは、シェルに対して移動可能であってもよい。針ガードは、延長位置および退縮位置の間で移動可能であってもよい。第１の部材は、ハウジングの内部にあってもよい。作動組立体は、ハウジングおよびシェルに結合されてもよい。針ガードは、針ガードが延長位置から退縮位置に動くときに、ハウジングに対して第１の部材を動かしてもよい。作動組立体は、第１の部材がハウジングに対して動くときに、シェルを初期位置から注入位置に動かしてもよい。作動組立体は、シェルが注入位置にあるときに、プランジャをシェルに対して動かしてもよい。【選択図】図１
2021526413.tif 000002
【特許請求の範囲】
【請求項１】
近位端部および遠位端部を有するハウジングと、
前記ハウジングの内部のシェルであって、薬剤チャンバの少なくとも一部を受容するための空洞を有し、前記ハウジングに対して初期位置から注入位置に移動可能であるシェルと、
前記シェルに対して移動可能であるプランジャと、
延長位置および退縮位置の間で移動可能である針ガードと、
前記ハウジングの内部の第１の部材と、
前記ハウジングおよび前記シェルに結合された作動組立体と、を含む注射器であって、
前記針ガードは、前記針ガードが前記延長位置から前記退縮位置に動くときに、前記ハウジングに対して前記第１の部材を動かし、
前記作動組立体は、前記第１の部材が前記ハウジングに対して動くときに、前記シェルを前記初期位置から前記注入位置に動かし、
前記作動組立体は、前記シェルが前記注入位置にあるときに、前記プランジャを前記シェルに対して動かす、注射器。
【請求項２】
前記針ガードの近位方向の動きは、前記第１の部材を前記ハウジングに対して近位方向に動かす、請求項１に記載の注射器。
【請求項３】
前記シェルは、前記針ガードの動きに応答して前記ハウジングに対して動く、請求項１に記載の注射器。
【請求項４】
前記シェルは、前記第１の部材が前記ハウジングに対して近位方向に動くときに、前記ハウジングに対して遠位方向に動く、請求項２に記載の注射器。
【請求項５】
前記第１の部材は、第１の位置から第２の位置に移動可能である戻り止めを含み、
前記戻り止めは、前記戻り止めが前記第１の位置にあるときに、前記第１の部材の動きを防止するために、前記ハウジングに係合し、
前記戻り止めは、前記戻り止めが前記第２の位置にあるときに、前記ハウジングから係合解除される、請求項１に記載の注射器。
【請求項６】
前記針ガードは、前記針ガードが前記延長位置にあるときに、前記第１の位置から前記第２の位置への前記戻り止めの動きを防止する、請求項５に記載の注射器。
【請求項７】
前記ハウジングに固定された第２の部材を更に含み、
前記第２の部材は、前記ハウジングに対する前記シェルの動きを防止するために、前記シェルと係合可能なキャッチを含む、請求項１に記載の注射器。
【請求項８】
前記第２の部材は、前記シェルを少なくとも部分的に囲む、請求項７に記載の注射器。
【請求項９】
前記シェルは、凹所を含み、前記キャッチは、前記キャッチが第１の位置にあるときに、前記凹所の内部に配置される、請求項７に記載の注射器。
【請求項１０】
前記キャッチは、第１の部材が前記ハウジングに対して動くときに、前記凹所から出る、請求項９に記載の注射器。
【請求項１１】
前記作動組立体は、前記ハウジングおよび前記シェルに動作可能に関連付けられた第１の付勢要素を含み、
前記第１の付勢要素は、前記第１の部材が前記ハウジングに対して動くときに、前記シェルを前記ハウジングに対して前記初期位置から前記注入位置に動かす、請求項１に記載の注射器。
【請求項１２】
前記作動組立体は、前記シェルおよび前記プランジャに動作可能に関連付けられた第２の付勢要素を含み、
前記第２の付勢要素は、前記シェルが前記注入位置にあるときに、前記プランジャを前記シェルに対して動かす、請求項１１に記載の注射器。
【請求項１３】
前記シェルは、係合部材を含み、前記係合部材は、ラムの動きを防止する係合位置から、前記ラムが前記シェルに対して動くことのできる係合解除位置に移動可能である、請求項１２に記載の注射器。
【請求項１４】
前記係合部材は、前記シェルが前記初期位置にあるときに、前記係合位置にあり、
前記係合部材は、前記シェルが前記注入位置にあるときに、前記係合解除位置にある、請求項１３に記載の注射器。
【請求項１５】
前記ハウジングに固定された第２の部材を更に含み、
前記第２の部材は、前記ハウジングに対する前記シェルの動きを防止するために、前記シェルと係合可能なキャッチを含み、
前記第２の部材は、前記シェルが前記初期位置にあるときに、前記係合位置から前記係合解除位置への前記係合部材の動きをブロックする、請求項１３に記載の注射器。
【請求項１６】
シリンジと、
第１の端部、第２の端部、前記第１の端部から前記第２の端部に延びる長手軸、および前記第１の端部から前記第２の端部に向けて延びる側壁、を有するシリンジホルダと、を更に含み、
前記側壁は、前記シリンジのための受容エリアを画定し、
前記側壁は、前記シリンジが前記シリンジホルダの側面から前記シリンジホルダの中に装填され得るように、側壁開口を含む、請求項１に記載の注射器。
【請求項１７】
前記シリンジは、前記シリンジホルダの後部開口を通して軸方向に動くことなく、前記シリンジホルダの中に装填される、請求項１６に記載の注射器。
【請求項１８】
針シールドは、前記シリンジに結合され、
前記シリンジは、前記針シールドを前記シリンジホルダに通過させることなく、前記シリンジホルダの中に装填される、請求項１６に記載の注射器。
【請求項１９】
前記側壁開口は、前記第１の端部から前記第２の端部に延びる、請求項１６に記載の注射器。
【請求項２０】
前記シリンジは、薬剤チャンバを画定するボディと、前記薬剤チャンバに流体結合された針と、前記針を受容する針シールドと、を含み、
前記針シールドは、針シールド直径を有し、
前記シリンジホルダは、前記針シールド直径より小さい端部壁開口直径を有する端部壁開口を有する端部壁を含む、請求項１６に記載の注射器。
【請求項２１】
前記シリンジは、前記シリンジの近位端部のシリンジフランジを含み、
前記シリンジが前記シリンジホルダに結合されるときに、前記シリンジの遠位端部は、前記端部壁に係合し、前記シリンジフランジは、前記側壁の前記第２の端部から離隔される、請求項２０に記載の注射器。
【請求項２２】
前記針シールドの近位端部と前記シリンジの前記遠位端部との間に配置される突起を有する針シールドリムーバを更に含む、請求項２０に記載の注射器。
【請求項２３】
前記ハウジングに結合されたキャップを更に含み、
前記針シールドリムーバは、前記キャップが前記ハウジングから結合解除されるときに、前記針シールドが取り外されるように、前記キャップに結合される、請求項２２に記載の注射器。
【請求項２４】
前記キャップは、前記針ガードを前記延長位置に少なくとも一時的に維持する、請求項２３に記載の注射器。
【請求項２５】
前記プランジャの動きは、薬剤を前記薬剤チャンバから前記針を通して押し出す、請求項２０に記載の注射器。
【請求項２６】
前記針ガードは、ロックアウト位置に移動可能であり、
前記針ガードは、前記針ガードが前記ロックアウト位置にあるときに前記針ガードの近位方向の動きを防止するためにロックアウト表面に係合する針ガードロックを含む、請求項１に記載の注射器。
【請求項２７】
前記針ガードロックは、前記針ガードが前記ロックアウト位置にあるときに、前記ロックアウト表面に係合するために、半径方向外向きに屈曲するロックアウトアームを含む、請求項２６に記載の注射器。
【請求項２８】
前記ハウジングに結合されたカラーを更に含み、前記カラーは、前記ロックアウト表面を含む、請求項２６に記載の注射器。
【請求項２９】
前記カラーおよび前記針ガードに結合された付勢要素を更に含み、前記付勢要素は、前記針ガードを前記延長位置に向けて付勢する、請求項２８に記載の注射器。
【発明の詳細な説明】
【技術分野】
【０００１】
関連出願の相互参照
[0002]本出願は、「Ａｕｔｏ−Ｉｎｓｅｒｔ  Ｉｎｊｅｃｔｏｒ」と題する、２０１８年６月８日に出願された米国仮特許出願第６２／６８２，８１６号の利益を主張し、その全体が参照によって本明細書に組み込まれる。
【０００２】
[0003]本発明は、概して注射器に関し、より詳細には、患者または使用者に針を自動挿入し得る注射器に関する。
【発明の概要】
【課題を解決するための手段】
【０００３】
[0004]一実施形態では、近位端部および遠位端部を有するハウジングと、シェルと、プランジャと、針ガードと、第１の部材と、作動組立体と、を含む注射器が存在する。シェルは、ハウジングの内部にあってもよく、薬剤チャンバの少なくとも一部を受容するための空洞を有することができる。シェルは、ハウジングに対して初期位置から注入位置に移動可能であってもよい。プランジャは、シェルに対して移動可能であってもよい。針ガードは、延長位置および退縮位置の間で移動可能であってもよい。第１の部材は、ハウジングの内部にあって、ハウジングに結合できる。作動組立体は、ハウジングおよびシェルに結合できる。針ガードは、針ガードが延長位置から退縮位置に動くときに、ハウジングに対して第１の部材を動かすことができる。作動組立体は、第１の部材がハウジングに対して動くときに、シェルを初期位置から注入位置に動かすことができる。作動組立体は、シェルが注入位置にあるときに、プランジャをシェルに対して動かすことができる。
【０００４】
[0005]針ガードの近位方向の動きは、第１の部材をハウジングに対して近位方向に動かすことができる。シェルは、針ガードの動きに応答してハウジングに対して動くことができる。針ガードの動きは、注射器をトリガできる。シェルは、第１の部材がハウジングに対して近位方向に動くときに、ハウジングに対して遠位方向に動くことができる。第１の部材は、第１の位置から第２の位置に移動可能である戻り止めを含むことができる。戻り止めは、戻り止めが第１の位置にあるときに、第１の部材の動きを防止するために、ハウジングに係合できる。戻り止めは、戻り止めが第２の位置にあるときに、ハウジングから係合解除できる。針ガードは、針ガードが延長位置にあるときに、第１の位置から第２の位置への戻り止めの動きを防止できる。
【０００５】
[0006]更なる実施形態では、注射器は、ハウジングに固定された第２の部材を含み、第２の部材は、ハウジングに対するシェルの動きを防止するために、シェルと係合可能なキャッチを含む。第２の部材は、シェルを少なくとも部分的に囲むことができる。シェルは、凹所を含むことができ、キャッチは、キャッチが第１の位置にあるときに、凹所の内部に配置できる。キャッチは、第１の部材がハウジングに対して動くときに、凹所から出ることができる。作動組立体は、ハウジングおよびシェルに動作可能に関連付けられた第１の付勢要素を含むことができる。第１の付勢要素は、第１の部材がハウジングに対して動くときに、シェルをハウジングに対して初期位置から注入位置に動かすことができる。作動組立体は、シェルおよびプランジャに動作可能に関連付けられた第２の付勢要素を含むことができる。第２の付勢要素は、シェルが注入位置にあるときに、プランジャをシェルに対して動かすことができる。シェルは、係合部材を含むことができ、この係合部材は、ラムの動きを防止する係合位置から、ラムがシェルに対して動くことのできる係合解除位置に移動可能である。係合部材は、シェルが初期位置にあるときに、係合位置にあってもよい。係合部材は、シェルが注入位置にあるときに、係合解除位置にあってもよい。
【０００６】
[0007]更なる実施形態では、注射器は、ハウジングに固定された第２の部材を含み、第２の部材は、ハウジングに対するシェルの動きを防止するために、シェルと係合可能なキャッチを含む。第２の部材は、シェルが初期位置にあるときに係合位置から係合解除位置への係合部材の動きをブロックできる。更なる実施形態では、注射器は、シリンジおよびシリンジホルダを含む。シリンジホルダは、第１の端部と、第２の端部と、第１の端部から第２の端部に延びる長手軸と、第１の端部から第２の端部に向けて延びる側壁と、を含むことができる。側壁は、シリンジのための受容エリアを画定できる。側壁は、シリンジがシリンジホルダの側面からシリンジホルダの中に装填され得るように、側壁開口を含むことができる。シリンジは、シリンジホルダの後部開口を通して軸方向に動くことなく、シリンジホルダの中に装填できる。針シールドは、シリンジに結合でき、シリンジは、針シールドをシリンジホルダに通過させることなく、シリンジホルダの中に装填できる。側壁開口は、第１の端部から第２の端部に延びることができる。シリンジは、薬剤チャンバを画定するボディと、薬剤チャンバに流体結合された針と、針を受容する針シールドと、を含むことができる。針シールドは、針シールド直径を有することができる。シリンジホルダは、針シールド直径より小さい端部壁開口直径を備えた端部壁開口を有する端部壁を含むことができる。シリンジは、シリンジの近位端部のシリンジフランジを含むことができ、シリンジがシリンジホルダに結合されるときに、シリンジの遠位端部は、端部壁に係合し、シリンジフランジは、側壁の第２の端部から離隔される。
【０００７】
[0008]更なる実施形態では、注射器は、針シールドの近位端部とシリンジの遠位端部との間に配置される突起を有する針シールドリムーバを含む。更なる実施形態では、注射器は、ハウジングに結合されたキャップを含む。針シールドリムーバは、キャップがハウジングから結合解除されるときに、針シールドが取り外されるように、キャップに結合できる。キャップは、針ガードを延長位置に少なくとも一時的に維持できる。プランジャの動きは、薬剤を薬剤チャンバから針を通して押し出すことができる。針ガードは、ロックアウト位置に移動可能であってもよく、針ガードは、針ガードがロックアウト位置にあるときに針ガードの近位方向の動きを防止するためにロックアウト表面に係合する針ガードロックを含むことができる。針ガードロックは、針ガードがロックアウト位置にあるときに、ロックアウト表面に係合するために、半径方向外向きに屈曲するロックアウトアームを含むことができる。更なる実施形態では、カラーは、ハウジングに結合され、カラーは、ロックアウト表面を含む。更なる実施形態では、付勢要素は、カラーおよび針ガードに結合され、付勢要素は、針ガードを延長位置に向けて付勢する。
【０００８】
[0009]以下の自動挿入注射器の実施形態の詳細な説明は、例示的な実施形態の添付図面と併せて読むときに、より良く理解されるであろう。しかしながら、本発明が、示された正確な配置および手段に限定されないということを理解されたい。例えば、本明細書では明示的には述べられていないが、１つまたは複数の様々な開示された実施形態の特徴は、他の開示された実施形態に組み込まれてもよい。
【図面の簡単な説明】
【０００９】
【図１】[0011]本発明の例示的な実施形態に従った注射器の斜視図である。
【図２】[0012]図１のハウジングの底部立面図である。
【図３】[0013]図１のキャップの上部斜視図である。
【図４】[0014]ハウジングが取り外された図１の注射器の斜視図である。
【図５】[0015]図１の注射器の内部組立体の分解図である。
【図６】[0016]図１の注射器の針ガードの斜視図である。
【図７】[0017]図１の注射器のシリンジ組立体の分解斜視図である。
【図８】[0018]図１のシリンジキャリアの上部平面図である。
【図９】[0019]図１のシリンジキャリアの斜視図である。
【図１０】[0020]図１の針シールドリムーバの斜視図である。
【図１１】[0021]図１の注射器のシリンジ組立体および針シールドリムーバの斜視図である。
【図１２】[0022]Ａ−Ａ線を含む平面に沿って取った図１の注射器のシリンジ組立体、針シールドリムーバ、および、キャップの断面図である。
【図１３】[0023]発射前構成のＡ−Ａ線を含む平面に沿って取った図１の注射器の断面図である。
【図１４】[0024]Ｂ−Ｂ線を含む平面に沿って取った図１の注射器の断面図である。
【図１５】[0025]図１４の断面図の一部の拡大図である。
【図１６】[0026]針ガードが退縮構成である図１の注射器の断面図である。
【図１７】[0027]図１６の断面図の一部の拡大図である。
【図１８】[0028]注入構成の図１の注射器の断面図である。
【図１９】[0029]図１８の断面図の一部の拡大図である。
【図２０】[0030]図１８の断面図の一部の拡大図である。
【図２１】[0031]シェルが注入位置にある図１の注射器の断面図である。
【図２２】[0032]図２１の断面図の一部の拡大図である。
【図２３】[0033]発射構成の注射器の一部の拡大図である。
【図２４】[0034]ロックアウト構成の図１の注射器の断面図である。
【図２５】[0035]図２４の断面図の一部の拡大図である。
【図２６】[0036]本発明の別の例示的な実施形態に従った準備位置の第２の部材、第１の部材、および、シェルの拡大断面図である。
【図２７】[0037]準備位置から発射位置への移行中の図２６の第２の部材、第１の部材、および、シェルの拡大図である。
【発明を実施するための形態】
【００１０】
[0038]詳細に図面を参照すると、同様の参照番号は、全体にわたって同様の要素を指しており、図１〜２７には、本発明の例示的な実施形態に従って、全体的に３０と指示された注射器が示されている。いくつかの実施形態では、注射器３０は、活動化に応答して患者または使用者に針を自動挿入するように構成される。
【００１１】
[0039]注射器３０は、薬剤を使用者または患者に注入するように構成できる。注射器３０は、シリンジを受容するように構成でき、あるいは、注射器は、薬剤チャンバを含むことができる。薬剤は、例えば、それらに限定されないが、ジアゼパム、ハロペリドール、ロラゼパム、メトトレキサート、テストステロン、または、組換え型ヒトパピローマウイルス４価であることがある。注射器３０は、薬剤を皮下にまたは筋肉内に送達するように構成できる。注射器３０は、選択された挿入深さまで針を挿入するように構成できる。注射器３０は、退縮式の針ガードを含むことができ、挿入深さは、退縮式の針ガードの進行長さに依存しないようにできる。注射器３０は、外部ハウジングに挿入可能な内部組立体を含むことができ、内部組立体は、外部ハウジングを内部組立体に結合する前に、組立てできる。注射器３０は、薬剤を針を通して送達する前に、針をハウジングに対して挿入深さまで動かすことができる。注射器３０は、針シールドの後面の一部と係合するように構成された針シールドリムーバを含むことができる。針シールドリムーバは、内部組立体の一部にできる。内部組立体は、針シールドリムーバが、注射器３０の組立てを完了する前に、針シールドの後面と係合する、ということを視覚的に確認することを可能にすることができる。
【００１２】
[0040]図１〜５を参照すると、注射器３０は、ハウジング３２を含むことができる。ハウジング３２は、内部組立体３６を少なくとも部分的に受容するための空洞を含む（図４〜５）。内部組立体３６は、針をハウジング３２に対して動かして、薬剤をリザーバから針の外に排出するように構成できる。１つまたは複数の整列構造部３７（例えば、突起または隆起）は、ハウジング３２の内部空洞内にすることができる。整列構造部３７は、内部組立体３６をハウジング３２に対して整列できる。いくつかの実施形態では、ハウジング３２は、シリンダ状の外部形状を有する。他の実施形態では、ハウジング３２は、表面上に配置されたときに注射器３０が回るのを防止するように構成された外部形状を有する。注射器３０は、ハウジング３２の近位端部３３から遠位端部３５に延びる長手軸３１を含むことができる。
【００１３】
[0041]図３〜４および１３を参照すると、注射器３０は、（例えば、製造中、搬送中、または、意図した使用の前の）意図しない針ガードの退縮または意図しない針の露出を防止するように構成されたキャップ３４を含むことができる。キャップ３４は、ハウジング３２またはカラー３８（図１３）に取り外し可能に結合できる。キャップ３４は、（例えば、キャップ３４を、ハウジング３２またはカラー３８に対して、引くこと、押すこと、または、捩ることによって）ハウジング３２またはカラー３８から結合解除することができる。キャップ３４およびカラー３８の少なくとも一方は、キャップ３４およびカラー３８の他方の突起または嵌合ねじ山４１を受容するための凹所またはねじ山３９を含むことができる。キャップ３４は、キャップが注射器に取り付けられて注射器が表面に配置されるときに、注射器３０が回るのを防止するために形状付けおよび寸法決めすることができる。カラー３８は、ハウジング３２（例えば、スナップ嵌合を介して）の第２の開口１２０によって受容されるように構成されたカラー突起１１８（図４）を含むことができ、それによって、カラー３８をハウジング３２に固定する（図１４）。キャップ３４は、レシーバ４３を含むことができる。レシーバ４３は、より詳細に下で説明されるように、針シールドリムーバに結合するように構成できる。
【００１４】
[0042]図５を参照すると、注射器３０は、内部組立体３６を含むことができる。内部組立体３６は、ハウジング３２に対してシリンジを動かして、シリンジから使用者または患者に薬剤を送達するように構成できる。内部組立体３６は、第１の部材４８、第２の部材４０、および、シェル５２を含むことができる。内部組立体３６は、ラム５８ならびに、ハウジング３２に対してシェル５２およびラム５８のうちの少なくとも一方を動かすように構成された作動組立体を含むことができる。第１の部材４８、第２の部材４０、シェル５２、および、ラム５８は、ハウジング内で互いの中に入れ子にすることができる。内部組立体３６のいくつかの部品は、ハウジング３２に固定でき、他方、他の部品は、ハウジング３２に対して移動可能である。第２の部材４０は、ハウジング３２に対して固定でき、第１の部材４８は、第２の部材４０およびハウジング３２に対して移動可能であってもよい。
【００１５】
[0043]図１、４、および１３を参照すると、いくつかの実施形態では、第２の部材４０は、ハウジング３２のアパーチャ４４（図１）に配置される突起４２（図４）によってハウジング３２に固定される。他の実施形態では、第２の部材４０は、ハウジング３２の突起を受容するように構成されたアパーチャを含む。突起４２は、スナップ嵌合を介してハウジング３２に結合できる。他の実施形態では、第２の部材４０は、接着剤、溶接、または締結具を介してハウジング３２に固定される。
【００１６】
[0044]図４、１５、および１９を参照すると、第２の部材４０は、第１のアーム４６またはキャッチを含むことができる。第１のアーム４６は、ハウジング３２に対するシェル５２の動きに係合してそれを防止することができる。第１のアーム４６は、第１の位置（図１５）から第２の位置（図１９）に移動するように構成できる。第１のアーム４６は、アームが第１の位置から第２の位置に動くときに、半径方向外向きにたわむことができる。いくつかの実施形態では、第１のアーム４６は、第２の位置に向けて付勢されるが、第１の部材４８は、第１のアーム４６の動きを、注射器３０が活動化されるまでブロックする。他の実施形態では、第１のアーム４６は、第１の位置で静止しているが、ハウジング３２に対するシェル５２の動きは、第１のアーム４６を第１の位置から第２の位置に強制する。
【００１７】
[0045]図４〜５を参照すると、第１の部材４８は、第２の部材４０を少なくとも部分的に受容するように構成できる。第２の部材４０の第１のアーム４６は、第２の部材４０が第１の部材４８によって受容されるときに、第１の位置にすることができる。第１の部材４８は、第１の部材４８が第１のアーム４６の動きをブロックするように、第２の部材４０を少なくとも部分的に囲むことができる。第１の部材４８は、ハウジング３２または第２の部材４０に対して移動可能（例えば、軸方向に並進可能、回転可能）であってもよい。第１の部材４８は、凹所または開口５０を含むことができる。第１のアーム４６は、第１のアーム４６が開口５０と整列するときに、第１の位置から第２の位置に動くことができる。開口５０は、第１の部材４８が第２の部材４０に対して動くときに、第１のアーム４６と整列できる。第２の部材４０は、第１の部材４８が第２の部材４０に対して動くときに、ハウジング３２に対して固定されたままにできる。
【００１８】
[0046]図１および１５を参照すると、安全装置１４０は、注射器３０が安全な状態にあるときに、開口５０に配置できる。安全装置１４０は、ハウジング３２の開口を通って延びることができる。安全装置１４０は、安全装置１４０が軸線３１に沿って軸方向に動くのを防止されるように、ハウジング３２の開口の側壁に係合できる。安全装置１４０は、ハウジング３２に取り外し可能に結合できる。安全装置１４０は、第１の部材４８の軸方向の動きを防止できる。安全装置１４０は、注射器３０が本明細書で説明されたように活動化され得るように、ハウジング３２から手動で取り外すことができる。いくつかの実施形態では、安全装置１４０は、製造中にハウジング３２に結合され、また、いったん注射器３０が組み立てられると取り外される。安全装置１４０は、注射器３０が使用者に提供される前に、取り外すことができる。他の実施形態では、安全装置１４０は、注射器３０を使用する前に、使用者によって取り外される。
【００１９】
[0047]図１および図４〜５を参照すると、第１の部材４８は、戻り止め６２を含むことができる。戻り止め６２は、第１の部材４８に対して、第１の位置（例えば、弛緩位置）から第２の位置（例えば、半径方向屈曲位置）に移動可能であってもよい。戻り止め６２は、第１の部材４８から延びる片持ち式アームを含むことができる。戻り止め６２は、より詳細に下で説明されるように、ハウジング３２（図１）の第１の戻り止め開口６１または第２の戻り止め開口６３の側壁に係合するように構成できる。
【００２０】
[0048]図４〜５および１５を参照すると、シェル５２は、シリンジキャリアに結合されるように構成できる。シェル５２は、ハウジング３２に対して初期位置（図１３）から注入位置（図１８）まで移動可能であってもよい。シェル５２は、ハウジング３２と共に配置できる。第２の部材４０は、シェル５２を少なくとも部分的に囲むことができる。シェル５２は、その外面の第１の凹所５４を含むことができる。第１の凹所５４は、シェル５２の側壁を通って延びることができる。第１の凹所５４は、シェル５２を第２の部材４０に対して少なくとも一時的に固定するために、第２の部材４０の第１のアーム４６の一部を受容するように構成できる。第１のアーム４６は、第１のアーム４６が第１の位置にあるときに、凹所５４内に配置できる。
【００２１】
[0049]依然として図４〜５および１５を参照すると、シェル５２は、ハウジング３２または第２の部材４０に対して移動可能（例えば、軸方向に並進可能、回転可能）であってもよい。第１のアーム４６は、シェル５２がハウジング３２に対して動くのを防止するために、第１の凹所５４の側壁と係合できる。少なくとも１つの凹所５４および第１のアーム４６は、シェル５２の軸方向の動きが第１のアーム４６の半径方向の動きを引き起こすように、面取りした縁部を有することができる。
【００２２】
[0050]依然として図４〜５および１３を参照すると、シェル５２は、ラム５８を少なくとも部分的に受容するように構成された内部凹所６６または空洞を含むことができる（図１３）。いくつかの実施形態では、内部凹所６６は、シリンジ７２を受容するように構成される。他の実施形態では、内部凹所６６は、薬剤チャンバを画定する。シェル５２は、ラム５８を発射前位置に少なくとも一時的に保つように構成された係合部材６８を含むことができる。シェル５２は、シェル５２の周囲に円周方向に離隔された複数の係合部材６８を含むことができる。係合部材６８は、ラム５８の動きを少なくとも一時的にブロックする可撓性アームを含むことができる。係合部材６８は、半径方向外向きに付勢できる。係合部材６８は、係合部材がラム５８の動きを防止する係合位置（図１３）と、ラム５８がシェル５２に対して動くことのできる係合解除位置（図２２）と、の間で移動可能であってもよい。第２の部材４０は、係合位置および係合解除位置間の係合部材６８の動きを防止できる。係合部材６８は、シェル５２が初期位置にあるときに、係合位置にすることができる。係合部材６８は、シェル５２が注入位置にあるときに、係合解除位置にすることができる。
【００２３】
[0051]図４〜５および１３を参照すると、ラム５８は、注射器３０が発射前構成にあるときに、係合部材６８に係合するように構成されたリム６４を含むことができる（図１３）。ラム５８は、プランジャ７０に係合するように構成できる。プランジャ７０は、ラム５８が薬剤を薬剤チャンバ（例えば、事前充填シリンジの中）から外に針７４を通して患者または使用者の中に強制するためにシェル５２に対して動くときに、シェル３２に対して動くことができる。リム６４は、リム６４が薬剤チャンバに入ることができないように、薬剤チャンバの内径より大きい直径を有することができる。ラム５８のリム６４は、プランジャ７０が薬剤チャンバの端部にあるときに、シリンジ７２のフランジ１０６から離隔できる。
【００２４】
[0052]図５および１３を参照すると、注射器３０は、シェル５２を初期位置から注入位置に動かすように構成された作動組立体を含むことができる。作動組立体は、ハウジング３２およびシェル５２に結合できる。作動組立体は、ハウジング３２およびシェル５２に動作可能に関連付けることができる。作動組立体は、第１の付勢要素５６を含むことができる。第１の付勢要素５６は、ハウジング３２およびシェル５２に動作可能に関連付けることができる。第１の付勢要素５６は、シェル５２を注射器３０の遠位端部３５に向けてうながすことができる。
【００２５】
[0053]依然として図１３を参照すると、作動組立体は、第２の付勢要素７６を含むことができる。作動組立体は、第１の付勢要素５６および第２の付勢要素７６を含むことができる。第２の付勢要素７６は、シェル５２の内部凹所６６内に配置できる。第２の付勢要素７６は、シェル５２およびラム５８に動作可能に関連付けることができる。第２の付勢要素７６は、ラム５８が注射器３０の遠位端部３５に向けて付勢されるように、ラム５８のリム６４およびシェル５２の端部と係合できる。いくつかの実施形態では、第２の付勢要素７６は、シェル５２が注入位置にあるまで、ラム５８を動かさない。作動組立体は、シェル５２が注入位置にあるときに、シェル５２に対してプランジャ７０の動きを引き起こすことができる。
【００２６】
[0054]図１３を参照すると、シェル５２の内部凹所６６は、第１の部分６６ａおよび第２の部分６６ｂを含むことができる。第２の部分６６ｂは、第１の部分６６ａの近位にすることができる。第１の部分６６ａは、ラム５８およびリム６４の一部を受容するように構成できる。第２の部分６６ｂは、ラム５８の近位端部および第２の付勢要素７６を受容するように構成できる。第２の部分６６ｂは、第１の部分６６ａより小さい直径を有することができる。第１の部分６６ａは、第２の部分６６ｂより長い軸方向長さを有することができる。
【００２７】
[0055]図６、１４、および２０を参照すると、注射器３０は、針ガード７８を含むことができる。針ガード７８は、注射器３０が使用されていないときに、針７４を囲むことができる。針ガード７８は、ハウジング３２に対して、延長位置（図１４）から退縮位置（図２０）に移動可能であってもよい。針ガード７８は、使用者によって動かされるように構成でき、その場合、針ガード７８の遠位端部は、注入部位に対して（例えば、使用者の皮膚に対して）配置され、力は、針ガード７８がハウジング３２に対して近位方向に動くように、注射器３０の遠位端部に加えられる。針ガード７８は、ベース８０を含むことができる（図６）。ベース８０の少なくとも一部は、注射器３０が発射前構成にあるときに、ハウジング３２から延びることができる。針ガード７８は、ベース８０から延びる脚部８２を含むことができる。脚部８２は、より詳細に下で説明されるように、第１の部材４８の戻り止め６２と係合するように構成された針ガード突起８４を含むことができる。脚部８２は、第１の部材４８と係合するように構成された係合面８３を含むことができる。係合面８３は、脚部８２の近位端部にあることができる。針ガード７８の脚部８２は、シェル５２のリム９３（図４）の開口９１を通って延びることができる。リム９３は、脚部８２の整列を維持できる。リム９３は、針ガード７８の脚部８２の望ましくない屈曲を防止できる。
【００２８】
[0056]図６を参照すると、針ガード７８は、注射器３０が始動された後、ハウジング３２に対する針ガード７８の遠位方向の動きを制限するために、ハウジング３２またはカラー３８の突起または凹所に係合するように構成された制限部８６を含むことができる。針ガード７８は、針ガード７８の意図しない動きを防止するために、キャップ３４の構造部（例えば、ねじ山や別の突起）に係合するように構成されたキャップ係合構造部８８（図６）を含むことができる。針ガード７８は、キャップ３４がハウジング３２および針ガード７８に結合されるとき、ハウジング３２に対して軸方向に固定できる。針ガード７８は、注射器３０が発射されるときに針７４がそこを通過することを可能にするように構成された開口９２を含むことができる。針ガード７８は、より詳細に下で説明されるように、注射器３０が発射された後、カラー３８（図２５）のロックアウト開口９６に配置されるように構成されたロックアウトアーム９４（図６）を含むことができる。
【００２９】
[0057]図７を参照すると、注射器３０は、シリンジ７２（例えば、事前充填シリンジ）を含むことができる。シリンジ７２は、薬剤チャンバを画定するボディ１００と、ボディ１００に隣接する首部１０２と、を含むことができる。ボディ１００は、第１の直径を有することができ、首部１０２は、第２の直径を有することができる。第１の直径は、第２の直径より大きくできる。針７４は、首部１０２に結合できる。針７４は、薬剤チャンバと流体連通できる。プランジャ７０は、薬剤チャンバ内に配置できる。プランジャ７０は、薬剤を薬剤チャンバから針７４を通して外に排出するために、薬剤チャンバに対して動くことができる。シリンジ７２は、シリンジフランジ１０６を含むことができる。シリンジフランジ１０６は、ボディ１００より大きい直径を有することができる。
【００３０】
[0058]図７〜１１を参照すると、シリンジ７２は、シリンジホルダ９８内に配置できる。シリンジホルダ９８は、シリンジ７２がシリンジホルダ９８の側面から装填できるように、Ｃ形状または部分的なシリンダ形状を含むことができる。シリンジホルダ９８は、第１の端部９９および第２の端部１０１を含むことができる。側壁１０３は、第１の端部９９から第２の端部１０１に延びることができる。側壁１０３は、シリンジ７２のための受容エリアを画定できる。側壁１０３は、第１の端部９９から第２の端部１０１に向けて延びる開口を含むことができる。側壁開口は、第１の端部９９から第２の端部１０１に延びることができる。シリンジ７２は、シリンジ７２がシリンジホルダ９８の側面からシリンジホルダ９８内に装填され得るように、側壁開口を通って動かすことができる。シリンジ７２は、シリンジホルダ９８の後部開口を通してシリンジ７２を軸方向に動かすことなく、シリンジホルダ９８内に装填できる。シリンジ７２は、針シールド１０８をシリンジホルダ９８に通すことなく、シリンジホルダ９８内に装填できる。いくつかの実施形態では、シリンジ７２は、シリンジホルダ９８内にスナップ嵌合される。いくつかの実施形態では、側壁１０３は、シリンジ７２が側壁開口を通って動くときに、側壁１０３が弾性的に変形するように、可撓性を有する。
【００３１】
[0059]依然として図７〜９を参照すると、シリンジホルダ９８は、首部１０２に隣接するシリンジ７２のボディ１００の端部に係合するように構成された端部壁１０４を含むことができる。端部壁１０４は、シリンジホルダ９８の側壁１０３から半径方向内向きに延びることができる。端部壁１０４は、注射器３０が発射されるときにシリンジホルダ９８に対するシリンジ７２の動きを制限または防止できる。端部壁１０４は、シリンジ７２の首部１０２を受容するように構成された端部壁開口１０７を含むことができる。端部壁開口１０７のサイズは、端部壁１０４の一部がシリンジ７１の下側部分に接触するように選択できる。端部壁開口１０７は、少なくとも１８０度の弧に外接する開口を含むことができる。端部壁開口１０７は、約０．２５４ｃｍ（０．１インチ）、約０．３８１ｃｍ（０．１５インチ）、約０．５０８ｃｍ（０．２インチ）、約０．７６２ｃｍ（０．３インチ）、約１．０１６ｃｍ（０．４インチ）、または、約１．２７ｃｍ（０．５インチ）の半径を有する弓形部分１１３（図９）を含むことができる。端部壁開口１０７は、弓形部分１１３に接する直線部分１１５を含むことができる。シリンジ７２の首部１０２は、シリンジ７２がシリンジホルダ９８内にあるときに、弓形部分１１３および直線部分１１５によって係合できる。端部壁開口１０７は、面取りした縁部１１７を含むことができる。面取りした縁部１１７は、使用者または製造業者がシリンジ７２の首部を端部壁開口１０７に装填することを容易にするためのリードインを提供できる。端部壁１０４は、剛性を有することができる。
【００３２】
[0060]依然として図７〜９を参照すると、シリンジホルダ９８は、シリンジホルダアーム１０５を含むことができる。シリンジホルダアーム１０５は、シリンジ７２を保持するように構成されたリップ１１１を含むことができる。シリンジフランジ１０６は、シリンジホルダ９８のリップ１１１および第２の端部１０１間に配置できる。シリンジフランジ１０６は、シリンジ７２がシリンジホルダ９８に結合されるときに、シリンジホルダ９８の第２の端部１０１から離隔できる。シリンジホルダ９８の第２の端部１０１からのシリンジフランジ１０６の離隔は、シリンジ７２の破損を低減または排除するために、シリンジホルダ９８に対するシリンジフランジ１０６の任意の衝撃を低減または排除できる。シリンジホルダ９８は、たとえシリンジ７２が破損しても、シリンジ７２を保持できる。シリンジホルダ９８は、シェル５２に対してシリンジホルダ９８を固定するために、シェル５２の隆起部１２６（図４および１３）と係合するように構成された締結具１２４を含むことができる。締結具１２４は、隆起部１２６にスナップ嵌合できる。アーム１０５は、シェル５２の隆起部１２６と係合するための締結具１２４と、シリンジフランジ１０６と係合するためのリップ１１１と、を含むことができる。
【００３３】
[0061]図７〜１１を参照すると、針シールド１０８は、注射器３０が発射前構成にあるときに、針７４をカバーできる。針シールド１０８は、シリンジホルダ９８の端部壁開口１０７の直径より大きい外径を有することができる（図８〜９）。針シールド１０８は、シリンジボディ１００の直径と等しいかまたはより大きい外径を有することができる。端部壁開口１０７は、ボディ１００の外径より小さい直径を有することができる。端部壁開口１０７の直径は、針シールド１０８の外径より小さくすることができる。
【００３４】
[0062]既存のシリンジホルダは、管形状を含むことができ、シリンジおよび針シールドは、シリンジホルダの一端の開口を通って軸方向に移動する。既存の端部装填式シリンジホルダで使用される針シールドは、シリンジよりも直径を小さくしなければならず、その理由は、針シールドが、シリンジホルダの開口を通過しなければならないからである。
【００３５】
[0063]対照的に、シリンジホルダ９８は、シリンジ７２より大きい直径を有する針シールド１０８と共に使用でき、その理由は、針シールド１０８が、側面からシリンジホルダ９８の中にシリンジ７２が装填されるときに、シリンジホルダ９８または端部壁開口１０７を通過しないからである。シリンジ７２は、シリンジホルダ９８の中にスナップ嵌合できる。
【００３６】
[0064]図１０〜１１を参照すると、注射器３０は、針シールドリムーバ１１０を含むことができる。針シールドリムーバ１１０は、針シールド１０８が針シールドリムーバ１１０の側面から装填できるように、Ｃ形状または部分的なシリンダ形状を含むことができる。針シールド１０８は、針シールドリムーバ１１０にスナップ嵌合できる。針シールドリムーバ１１０は、針シールド１０８の受容エリアを画定する側壁１１９を含むことができる。側壁は、針シールドが側壁開口を通して側面から装填され得るように、側壁開口を含むことができる。側壁１１９は、首部１２１を含むことができる。首部１２１は、針シールド１０８が針シールドリムーバ１１０の中に装填されるときに、針シールド１０８上にスナップ嵌合できる。シリンジ７２および針シールド１０８は、シリンジホルダ９８および針シールドリムーバ１１０の中に同時に装填できる。シリンジ７２および針シールド１０８は、シリンジホルダ９８および針シールドリムーバ１１０の中に同時に側面装填できる。
【００３７】
[0065]依然として図１０〜１１を参照すると、針シールドリムーバ１１０は、それの遠位端部の円周カラー１１２を含むことができる。針シールド１０８の端部は、円周カラー１１２の中に装填でき、針シールド１０８が針シールドリムーバ１１０の中に装填されるときに、針シールド１０８および針シールドリムーバ１１０間に何らかの相対回転があってもよい。いくつかの実施形態では、針シールド１０８の遠位端部は、針シールド１０８の近位端部が針シールドリムーバ１１０の中に装填される前に、針シールドリムーバ１１０の中に装填される。針シールドリムーバ１１０の側壁１１９または他の構造部の厚さは、針シールドリムーバ１１０が、針シールドリムーバ１１０の外形寸法を変更せずに、異なったサイズの針シールド１０８を受容できるように選択できる。
【００３８】
[0066]依然として図１０〜１１を参照すると、針シールドリムーバ１１０は、リムーバアーム１１４を含むことができる。リムーバアーム１１４は、針シールド１０８の近位端部と係合するように構成できる。リムーバアーム１１４は、針シールド１０８およびシリンジ７２のうちの少なくとも一方の直径より小さい直径を有する突起開口１１５を含むことができる。リムーバアーム１１４は、針シールド１０８の近位端部の表面積の約１０％、約２０％、約３０％、約４０％、約５０％、約６０％、約７０％、または、約８０％に係合するように構成できる。リムーバアーム１１４および端部壁１０４は、針シールド１０８の端部（例えば、近位端部）と、首部１０２に隣接するシリンジ７２の端部（例えば、遠位端部）と、の間に配置できる（図１１）。
【００３９】
[0067]図３および図１１〜１２を参照すると、針シールドリムーバ１１０は、キャップ３４と係合するように構成されたリムーバアーム１１６を含むことができる。リムーバアーム１１６は、キャップ３４のレシーバ４３の中にスナップ嵌合するように構成できる（図１および１２）。リムーバアーム１１６は、それの端部に突起を有する可撓性片持ち梁にすることができる。突起は、針シールドリムーバ１１０がキャップ３４に対して固定されるように、キャップ３４のレシーバ４３のレッジに係合するように構成できる。いくつかの実施形態では、針シールド１０８は、針シールドリムーバ１１０がキャップ３４に結合される前に、針シールドリムーバ１１０に結合できる。他の実施形態では、針シールド１０８は、針シールド１０８が針シールドリムーバ１１０に結合される前に、キャップ３４に結合される。いくつかの実施形態では、針シールド１０８は、シリンジ７２がシリンジホルダ９８に結合される前に、針シールドリムーバ１１０に結合される。
【００４０】
[0068]図１３〜１５を参照すると、いくつかの実施形態では、注射器３０は、発射前状態で使用者に提供される。他の実施形態では、注射器３０は、安全な構成で提供され、使用者は、安全装置１４０を取り外すことによって、注射器３０を発射前の構成に動かすことができる。キャップ３４は、キャップ３４がハウジング３２から切り離されるように、ハウジング３２に対してキャップ３４を引くことまたは捩ることによって、取り外すことができる。針シールド１０８は、キャップ３４が取り外されるとき、針シールドリムーバ１１０がキャップ３４に結合されているという理由で、針７４およびシリンジ７２から切り離すことができる。針ガード７８は、キャップ３４がハウジング３２から取り外されるときに、ハウジング３２に対して移動可能であってもよい。
【００４１】
[0069]図１３〜１５を参照すると、針ガード７８の脚部８２の針ガード突起８４は、注射器３０が発射前構成にあって、針ガード７８が延長位置にあるときに、第１の部材４８の戻り止め６２に隣接して配置できる（図１５）。戻り止め６２は、注射器が発射前構成にあるときに、第１の位置にすることができる。針ガード突起８４は、針ガード７８が延長位置にあるときに、第１の戻り止め位置から第２の戻り止め位置への戻り止め６２の半径方向の動きを防止できる。戻り止め６２は、戻り止め６２が第１の位置にあるときに、第１の部材４８の動きを防止するために、ハウジング３２（例えば、第１の戻り止め開口６１の側壁）に係合できる。戻り止め６２は、戻り止め６２が第２の位置にあるときに、ハウジング３２から係合解除（例えば、半径方向内向きに湾曲）できる。
【００４２】
[0070]図１６〜１７を参照すると、脚部８２の係合面８３は、使用者が針ガード７８の遠位端部を注入部位に対して押圧して、針ガード７８がハウジング３２に対して延長位置から退縮位置に向けて動くときに、第１の部材４８のレッジ８５に接触できる。いくつかの実施形態では、使用者は、針ガード７８をハウジング３２に対して動かすことによって、トリガシーケンスを実行に移す。いくつかの実施形態では、針ガード７８は、注射器３０を活動化させるトリガである。いくつかの実施形態では、針ガード７８の動きは、ある用量の薬剤を使用者に送達するために、注射器３０をトリガする。針ガード突起８４は、針ガード７８がハウジング３２に対して動くときに、第１の部材４８の戻り止め６２の長さに沿って動くことができる。針ガード突起８４は、係合面８３が、戻り止め６２が第１の位置から第２の位置に動くことができるように、レッジ８５に接触するとき、戻り止め６２の動きをもはやブロックしないようにできる。
【００４３】
[0071]図１６〜１７を参照すると、針ガード７８は、係合面８３が係合面８５に接触した後、針ガード７８が近位方向に動き続けるので、第２の部材４０を動かすことができる。針ガード７８の近位方向の動きは、第２の部材４０を近位方向に動かすことができる。第１の部材４８の戻り止め６２は、第２の部材４０がハウジング３２に対して近位方向に動くときに、第１の戻り止め開口６１から第２の戻り止め開口６３に動くことができる。戻り止め６２は、第１の位置、第２の位置、および、第３の位置の間で移動可能であってもよい。戻り止め６２は、第１の位置で第１の戻り止め開口６１内にすることができる。戻り止めは、第２の位置で第１の戻り止め開口６１から取り外すことができる。戻り止め６２は、第３の位置で第２の戻り止め開口６３内にすることができる。第２の部材４０の第１のアーム４６は、第１の部材４８がハウジング３２に対して近位方向に動くときに、第１の部材４８の開口５０と整列できる。第１のアーム４６は、開口５０が第１のアーム４６と整列するときに、シェル５２の第１の凹所５４から出ることができる。
【００４４】
[0072]図１８〜１９を参照すると、第１の付勢要素５６は、第１のアーム４６がシェル５２の第１の凹所５４から係合解除するとき、シェル５２を動かすことができる。第１の付勢要素５６は、シェル５２を遠位に動かすことができる。第１の付勢要素は、第１の部材４８がハウジング３２に対して動くときに、シェル５２をハウジング３２に対して初期位置から注入位置に動かすことができる。針ガード７８および第１の部材４８の近位方向の動きは、シェル５２の遠位方向の動きを引き起こすことができる。シェル５２、ラム５８、シリンジ７２、および、シリンジホルダ９８は、第１の付勢要素５６がシェル５２を動かすときに、ハウジング３２に対して遠位方向に動くことができる。針７４は、シェル５２が注入位置に動くときに、針ガード７８の開口９２を通って延びることができる。
【００４５】
[0073]図２０を参照すると、注射器３０は、針ガード７８の開口９２を通って延びる針７４の長さによって画定される挿入深さを有することができる。いくつかの実施形態では、針７４の挿入深さは、約５ｍｍ、約１０ｍｍ、約１５ｍｍ、約１６ｍｍ、約２０ｍｍ、約２５ｍｍ、約３０ｍｍ、約３５ｍｍ、約４０ｍｍ、約４５ｍｍ、または、約５０ｍｍである。いくつかの実施形態では、針７４の挿入深さは、約５ｍｍから約１０ｍｍ、約１０ｍｍから約１５ｍｍ、約１５ｍｍから約２０ｍｍ、約２０ｍｍから約２５ｍｍ、約２５ｍｍから約３０ｍｍ、約３０ｍｍから約３５ｍｍ、約３５ｍｍから約４０ｍｍ、約４０ｍｍから約４５ｍｍ、または、約４５ｍｍから約５０ｍｍである。いくつかの実施形態では、針ガードは、約１ｍｍ、約２ｍｍ、約３ｍｍ、約４ｍｍ、約５ｍｍ、約６ｍｍ、約７ｍｍ、約８ｍｍ、約９ｍｍ、約１０ｍｍ、約１１ｍｍ、約１２ｍｍ、約１３ｍｍ、約１４ｍｍ、または、約１５ｍｍ進行するように構成される。１つの実施形態では、針は、約１ｍｍから約５ｍｍまたは約５ｍｍから約１０ｍｍの針ガードの進行に応答して、針ガード７８の遠位端部から約２０ｍｍから約２５ｍｍ延びることができる。挿入深さは、針ガード７８の進行長さに依存しなくてもよい。シェル５２は、シリンジホルダ９８の端部壁１０４がカラー３８のリム１２８に係合するまで遠位方向に移動できる（図２０）。シェル５２は、シリンジホルダ９８がカラーのリム１２８に係合するときに、注入位置にすることができる。いくつかの実施形態では、シリンジ７２に対するラム５８の位置は、シェル５２が注射器３０の遠位端部に向けて動くときに、薬剤が射出されないように固定される。他の実施形態では、ラム５８は、シリンジホルダ９８がリム１２８に係合する前に、シリンジ７２に対して動き始めることができる。
【００４６】
[0074]図２１〜２２を参照すると、シェル５２の係合部材６８は、シェル５２が注入位置にあるときに、第２の部材４０の遠位に配置できる。係合部材６８は、係合部材６８が第２の部材４０を超えて動くときに、半径方向外向きに動くことができる。係合部材６８の動きは、係合部材６８をラム５８のリム６４から係合解除できる。第２の付勢要素７６は、リム６４がもはや係合部材６８と係合していないときに、ラム５８を注射器３０の遠位端部に向けて動かすことができる。係合部材６８は、拘束構成から拡張構成に移動可能であってもよい。係合部材６８は、係合部材６８が第２の部材４０によって画定される凹所内にあるとき、拘束構成にすることができる。係合部材６８は、係合部材６８が第２の部材４０の遠位端部１３０を外して、係合部材６８が第２の部材４０によってもはや拘束されなくなったときに、半径方向外向きに拡張構成に動くことができる。係合部材６８は、リム６４と接触していないことがあり、あるいは、係合部材６８が拡張構成にあるときにラム５８の遠位移動を可能にできる。いくつかの実施形態では、第２の付勢要素７６は、シェル５２が注入位置にあるまで膨張し始めない。
【００４７】
[0075]図２２を参照すると、第２の付勢要素７６は、ラムを遠位方向に動かすために、力をラム５８のリム６４に適用できる。第２の付勢要素７６は、シェル５２の係合部材６８が拡張構成にあるときに、ラム５８を動かすことができる。ラム５８は、薬剤をシリンジ７２から針７４を通って使用者または患者に分配するために、プランジャ７０を動かすことができる。いくつかの実施形態では、ラム５８は、ラム５８の動きの前にプランジャ７０から離隔される。他の実施形態では、ラム５８は、ラム５８の動きの前に、プランジャ７０に関連付け（例えば、接触、または、極めて接近）られる。ラム５８は、薬剤の全部、大部分、または、一部をシリンジ７２から分配するために、プランジャをシリンジ７２の端部に動かすことができる。
【００４８】
[0076]図２１および２３を参照すると、第３の付勢要素１２２は、針ガード７８内に配置できる。第３の付勢要素１２２は、針ガード７８およびカラー３８と動作可能に関連付けることができる。第３の付勢要素１２２は、針ガード７８を延長位置に向けて付勢できる。第３の付勢要素１２２は、針ガード７８がハウジング３２に対して近位方向に動くときに、圧縮できる。針ガード７８は、ハウジング３２に対して、約１ｍｍ、約２ｍｍ、約３ｍｍ、約４ｍｍ、約５ｍｍ、約６ｍｍ、約７ｍｍ、約８ｍｍ、約９ｍｍ、約１０ｍｍ、約１１ｍｍ、約１２ｍｍ、約１３ｍｍ、約１４ｍｍ、または、約１５ｍｍ、軸方向に並進するように構成できる。針７４は、針ガード７８が最初に延長構成から動かされるときに、針ガード７８によって画定された凹所内に依然としてあるようにできる（図１６）。針７４の端部は、針ガード７８が退縮位置に動くときに、露出できる（図２１）。第３の付勢要素１２２は、針ガード７８を延長位置に向けて付勢できる。いくつかの実施形態では、シリンジ７２またはシリンジキャリア９８の進行は、第３の付勢要素１２２によって妨げられず、または、緩衝されない。
【００４９】
[0077]図４および図２４〜２５を参照すると、注射器３０は、薬剤がシリンジ７２から分配された後、注入部位から取り外すことができる。針ガード７８は、注射器３０が活動化されて注入部位から取り外された後、ロックアウト位置に移動可能であってもよい。第３の付勢要素１２２は、針ガードが注入部位ともはや接触していないときにまたは針ガード７８が注入部位にもはや押し付けられていないときに、針ガード７８を延長ロックアウト位置に移動できる。第３の付勢要素１２２は、針ガード７８をハウジング３２に対して遠位に移動できる。針ガード７８は、注射器が発射前の延長位置にあるときよりも、針ガードがロックアウト位置にあるときの方が、より大きな隔たりでハウジング３２から離れて延びることができる。針ガード７８は、針ガード７８をロックアウト位置にロックするように構成されたロックアウトアーム９４を含むことができる。ロックアウトアーム９４は、針ガード７８がロックアウト位置にあるときに、針ガード７８の近位方向の動きを防止できる。ロックアウトアーム９４は、半径方向外向きに屈曲するように付勢できる。ロックアウトアーム９４は、針ガード７８がロックアウト位置に動くときに、ロックアウトアーム９４がカラー３８のロックアウト開口９６に配置されるように（図２５）、半径方向外向きに屈曲できる。注射器３０は、ロックアウトアーム９４がロックアウト開口９６内にあるときに、ロックアウト構成にあってもよい。ロックアウトアーム９４は、注射器３０がロックアウト構成にあるときに針ガード７８がハウジング３２に対して近位方向に移動できないように、ロックアウト開口９６のロックアウト表面または側壁に接触するように構成できる。
【００５０】
[0078]図２６〜２７を参照すると、第１の部材１４８の第２の実施形態が示されている。第１の部材１４８は、シェル５２が初期位置にあるときに第１の部材１４８の戻り止め１６２がシェル５２の凹所１６４と係合できることを除いて、第１の部材４８の第１の実施形態と同様であってもよい。針ガードの針ガード突起８４は、針ガード７８がハウジング３２に対して動くときに、戻り止め１６２に係合できる。針ガード突起８４は、針ガード７８がハウジングに対して近位方向に移動するときに、戻り止め１６２が半径方向外向きに屈曲するのを強制できる。戻り止め１６２は、戻り止め１６２が半径方向外向きに屈曲するときに、シェル凹所１６４から係合解除できる。針ガード７８は、シェル５２および第２の部材４０に対して第１の部材１４８を近位方向に移動できる。開口５０は、注射器３０がシェル５２を注入位置に移動させて前述のようにある用量の薬剤を送達できるように、針ガード７８が第１の部材１４８をハウジング３２に対して動かすときに、第１のアーム４６と整列できる。
【００５１】
[0079]上に示されて説明された例示的な実施形態に対して、その広範な発明の概念から逸脱せずに、変更を行うことができるということが、当業者によって理解されるであろう。したがって、本発明が、示されて説明された例示的な実施形態に限定されないが、特許請求の範囲によって定義されるような本発明の精神および範囲内の変形をカバーすることが意図される、ということが理解される。例えば、例示的な実施形態の特定の特徴は、権利請求された発明の一部であってもなくてもよく、開示された実施形態の様々な特徴は、組合せできる。用語「内向き」および「外向き」は、それぞれ注射器の幾何的中心に向かう方向および離れる方向を指す。本明細書に特に記載されていない限り、用語「１つ（ａ）」、「１つ（ａｎ）」および「その（ｔｈｅ）」は、１つの要素に限定されず、その代わりに、「少なくとも１つ」を意味していると解釈されるべきである。
【００５２】
[0080]本発明の図面および説明の少なくとも幾らかが、本発明の明確な理解に関連する要素に焦点を合わせるために、簡略化されており、同時に、明瞭さの目的で、当業者が本発明の一部を同じく包含できると評価するであろう他の要素を無視している、ということを理解されたい。しかしながら、そういった要素が当技術分野でよく知られているという理由で、また、それらが必ずしも本発明のより良い理解を容易にはしないという理由で、そういった要素の説明は、本明細書では提供されない。
【００５３】
[0081]更に、本発明の方法が、本明細書に記述されたステップの特定の順序に依存しない限り、ステップの特定の順序は、特許請求の範囲の限定として解釈されるべきではない。本発明の方法に向けられたどのような請求項も、書かれた順序でのそれらのステップの実行に限定されるべきではなく、当業者は、ステップが、変更できて、本発明の精神および範囲内に依然として留まる、ということを容易に理解できる。
【図１】
2021526413.tif 000003
【図２】
2021526413.tif 000004
【図３】
2021526413.tif 000005
【図４】
2021526413.tif 000006
【図５】
2021526413.tif 000007
【図６】
2021526413.tif 000008
【図７】
2021526413.tif 000009
【図８】
2021526413.tif 000010
【図９】
2021526413.tif 000011
【図１０】
2021526413.tif 000012
【図１１】
2021526413.tif 000013
【図１２】
2021526413.tif 000014
【図１３】
2021526413.tif 000015
【図１４】
2021526413.tif 000016
【図１５】
2021526413.tif 000017
【図１６】
2021526413.tif 000018
【図１７】
2021526413.tif 000019
【図１８】
2021526413.tif 000020
【図１９】
2021526413.tif 000021
【図２０】
2021526413.tif 000022
【図２１】
2021526413.tif 000023
【図２２】
2021526413.tif 000024
【図２３】
2021526413.tif 000025
【図２４】
2021526413.tif 000026
【図２５】
2021526413.tif 000027
【図２６】
2021526413.tif 000028
【図２７】
2021526413.tif 000029
【国際調査報告】
2021526413.tif 000030